(57)【要約】      （修正有）【課題】直角に対して、直角距離寸法を測ることもでき、直角だけではない角度にも対応しても距離寸法を測れる指矩コンベックスを提供する。【解決手段】並列に設けた二個以上のコンベックスルールが、互いに向かい合う側面の片端部に蝶番を設けて固定し、この蝶番の軸を中心に、互いのコンベックスルールが開閉動作することができ、互いのコンベックスルールで、開く角度を直角で定めたり、特定や任意の角度で定めることができるストッパー機構との組合せからなる。【選択図】図１
2019002897.tif 000002
【特許請求の範囲】
【請求項１】
並列に設けた二個以上のコンベックスルールを、互いに向き合う側面の片端部に蝶番を設けて固定し、この蝶番の軸を中心に、互いのコンベックスルールが開閉動作できる指矩コンベックス。
【請求項２】
互いのコンベックスルールで、開く角度を特定や任意の角度で定めることができるストッパー機構との組合せからなる請求項１に記載した指矩コンベックス。
【請求項３】
蝶番で互いに連結されたコンベックスルールは、個々に装脱着できる構造の請求項１および請求項２に記載した指矩コンベックス。
【発明の詳細な説明】
【技術分野】
【０００１】  距離寸法を測る時に用いる、コンベックスルールのことに関するものである。
【背景技術】
【０００２】  従来、ある基準となるものに対して、直角方向へ距離寸法を測るときは、軽便な道具として、金属製などの指矩等で測る。しかし、指矩等は、コンベックスルールと異なり、携帯するには大きく、ある程度の長い距離寸法を測るには、適していない。
【発明の概要】
【発明が解決しようとする課題】
【０００３】  手軽に携帯ができて、通常の距離寸法も測り、指矩等で無くても直角に対して、ある程度の長い直角距離寸法を測ることもできる。また、直角だけではない角度にも対応して距離寸法を測れることなどである。
【課題を解決するための手段】
【０００４】  本発明は、並列に設けた二個以上のコンベックスルールが、互いに向かい合う側面の片端部に蝶番を設けて固定し、この蝶番の軸を中心に、互いのコンベックスルールが開閉動作できるものである。【０００５】  また、互いのコンベックスルールが開く角度は、直角で定めたり、特定や任意の角度で定めたりできるストッパー機構との組合せからなる。【０００６】  蝶番で互いが連結されたコンベックスルールは、個々に装脱着できる構造である。
【発明の効果】
【０００７】  手軽に携帯できる二個以上のコンベックスルールで、ある基準となるものに対して直角等の方向への距離寸法が手軽に測れる。また、直角以外の角度にも対応ができる。【０００８】  蝶番で互いが連結されたコンベックスルールは、二個の使用が基本であるが、使用目的に応じて三個以上の組合せも可能ある。【０００９】  蝶番で互いが連結されたコンベックスルールは、個々に装脱着できるので、一個では、通常のコンベックスルールとしても使用できる。【００１０】  二個のコンベックスルール間で、開放角度を１８０度にした場合では、一個のコンベックスルールの二倍までの距離寸法が測れる。
【発明を実施するための形態】
【００１１】  図１は、並列に設けた二個のストッパー機構付のコンベックスルール１とストッパー機構付のコンベックスルール２が、互いに向かい合う側面の片端部に蝶番３を設けて固定し、この蝶番３の軸を中心に、互いのコンベックスルールが開閉動作する。
【００１２】  この蝶番３の装脱着可能な固定方法としては、コンベックスルールの側面の片端部に蝶番の羽部分を挿入できる固定ガイドがあり、そこに蝶番３の羽部分を挿入して固定し、脱落防止のネジで固定する。その他の固定方法としては、蝶番３の羽部分をコンベックスルールに挟み固定するか、蝶番３の羽部分をコンベックスルールに磁石で固定するか、または、コンベックスルールの本体に、蝶番３の軸管を片端部に一体で設けた構造でもよい。この場合は、軸の抜差しにより装脱着が可能である。
【００１３】  この蝶番３の開閉角度を定める方法としては、４５度、９０度、１８０度等の特定の角度で定めるストッパー機構との組合せたもの、または、任意の角度で定めるネジによるストッパー機構のものがあり、これら二つの機構を併せ持ったせたもので、使用目的に応じた仕様とする。
【００１４】  特定の角度で定めるストッパーの機構としては、蝶番自体に取付けられた突起による機構か、コンベックスの面と蝶番に設けた突起による機構か、または、互いのコンベックスルール間を、所定の位置でアームを押さえるガイドで、アームを定める機構などである。
【００１５】  任意の角度で定めるストッパーの機構としては、蝶番軸自体をネジで定める機構か、または、互いのコンベックス間を、アームの片方を軸とし、もう片方をスライドガイド上に任意の位置でネジで定める機構などである。
【００１６】任意の角度で定めるストッパーの機構の場合、角度が分かる目盛りを設けたり、分度器と組合わせをすることで、コンベックスルール１とコンベックスルール２間の開閉角度を確認することができる。
【００１７】  コンベックスルール１とコンベックスルール２間に、取付ける蝶番３の設ける位置によっては、開く角度が１８０度以上にも対応できる。
【産業上の利用可能性】
【００１８】  手軽に直角等の方向への距離寸法を測ることができる。また、連結したコンベックスルールの蝶番の軸を中心に、１個のコンベックスルール回転させることで、ある円弧上の距離寸法値を測定することにも利用でき、利用範囲が広い手軽な距離測定器となる。
【図面の簡単な説明】
【００１９】  １  コンベックスルール
２  コンベックスルール
３  蝶番
【図１】
2019002897.tif 000003
【手続補正書】
【提出日】平成29年8月2日(2017.8.2)
【手続補正１】
【補正対象書類名】明細書
【補正対象項目名】全文
【補正方法】変更
【補正の内容】
【発明の詳細な説明】
【技術分野】
【０００１】  距離寸法を測る時に用いる、コンベックスルールのことに関するものである。
【背景技術】
【０００２】  従来、ある基準となるものに対して、直角方向へ距離寸法を測るときは、軽便な道具として、金属製などの指矩等で測る。しかし、指矩等は、コンベックスルールと異なり、携帯するには大きく、ある程度の長い距離寸法を測るには、適していない。
【発明の概要】
【発明が解決しようとする課題】
【０００３】  手軽に携帯ができて、通常の距離寸法も測り、指矩等で無くても直角に対して、ある程度の長い直角距離寸法を測ることもできる。また、直角だけではない角度にも対応して距離寸法を測れることなどである。
【課題を解決するための手段】
【０００４】  本発明は、並列に設けた二個以上のコンベックスルールが、互いに向かい合う側面の片端部に蝶番を設けて固定し、この蝶番の軸を中心に、互いのコンベックスルールが開閉動作できるものである。【０００５】  また、互いのコンベックスルールが開く角度は、直角で定めたり、特定や任意の角度で定めたりできるストッパー機構との組合せからなる。【０００６】  蝶番で互いが連結されたコンベックスルールは、個々に装脱着できる構造である。
【発明の効果】
【０００７】  手軽に携帯できる二個以上のコンベックスルールで、ある基準となるものに対して直角等の方向への距離寸法が手軽に測れる。また、直角以外の角度にも対応ができる。【０００８】  蝶番で互いが連結されたコンベックスルールは、二個の使用が基本であるが、使用目的に応じて三個以上の組合せも可能ある。【０００９】  蝶番で互いが連結されたコンベックスルールは、個々に装脱着できるので、一個では、通常のコンベックスルールとしても使用できる。【００１０】  二個のコンベックスルール間で、開放角度を１８０度にした場合では、一個のコンベックスルールの二倍までの距離寸法が測れる。
【発明を実施するための形態】
【００１１】  図１は、並列に設けた二個のストッパー機構付のコンベックスルール１とストッパー機構付のコンベックスルール２が、互いに向かい合う側面の片端部に蝶番３を設けて固定し、この蝶番３の軸を中心に、互いのコンベックスルールが開閉動作する。
【００１２】  この蝶番３の装脱着可能な固定方法としては、コンベックスルールの側面の片端部に蝶番の羽部分を挿入できる固定ガイドがあり、そこに蝶番３の羽部分を挿入して固定し、脱落防止のネジで固定する。その他の固定方法としては、蝶番３の羽部分をコンベックスルールに挟み固定するか、蝶番３の羽部分をコンベックスルールに磁石で固定するか、または、コンベックスルールの本体に、蝶番３の軸管を片端部に一体で設けた構造でもよい。この場合は、軸の抜差しにより装脱着が可能である。
【００１３】  この蝶番３の開閉角度を定める方法としては、４５度、９０度、１８０度等の特定の角度で定めるストッパー機構との組合せたもの、または、任意の角度で定めるネジによるストッパー機構のものがあり、これら二つの機構を併せ持ったせたもので、使用目的に応じた仕様とする。
【００１４】  特定の角度で定めるストッパーの機構としては、蝶番自体に取付けられた突起による機構か、コンベックスの面と蝶番に設けた突起による機構か、または、互いのコンベックスルール間を、所定の位置でアームを押さえるガイドで、アームを定める機構などである。
【００１５】  任意の角度で定めるストッパーの機構としては、蝶番軸自体をネジで定める機構か、または、互いのコンベックス間を、アームの片方を軸とし、もう片方をスライドガイド上に任意の位置でネジで定める機構などである。
【００１６】  任意の角度で定めるストッパーの機構の場合、角度が分かる目盛りを設けたり、分度器と組合わせをすることで、コンベックスルール１とコンベックスルール２間の開閉角度を確認することができる。
【００１７】  コンベックスルール１とコンベックスルール２間に、取付ける蝶番３の設ける位置によっては、開く角度が１８０度以上にも対応できる。
【産業上の利用可能性】
【００１８】  手軽に直角等の方向への距離寸法を測ることができる。また、連結したコンベックスルールの蝶番の軸を中心に、１個のコンベックスルール回転させることで、ある円弧上の距離寸法値を測定することにも利用でき、利用範囲が広い手軽な距離測定器となる。
【図面の簡単な説明】
【００１９】
【図１】は、二個のコンベックスルールで構成した外観図である。
【符号の説明】
【００２０】  １  コンベックスルール
２  コンベックスルール
３  蝶番